(57)【要約】  捕虫性能を安全に向上できる送風装置を提供する。空気の流入口２０及び吹出口５を開口する筐体２と、筐体２内に配される送風機１０と、流入口２０に配されて空気中の塵埃を捕集するプレフィルタ８と、空気の吸込口４を開口して筐体２に取り付けられるとともに吸込口４と流入口２０との間に捕虫空間２５を形成するカバー部材３とを備え、吸込口４を介して捕虫空間２５に進入した虫を捕虫する送風装置１において、カバー部材３の外面を暗色に形成した。
2016203840.tif 000002
【特許請求の範囲】
【請求項１】
空気の流入口及び吹出口を開口する筐体と、前記筐体内に配される送風機と、前記流入口に配されて空気中の塵埃を捕集するフィルタと、空気の吸込口を開口して前記筐体に取り付けられるとともに前記吸込口と前記流入口との間に捕虫空間を形成するカバー部材とを備え、前記吸込口を介して前記捕虫空間に進入した虫を捕虫する送風装置において、
前記カバー部材の外面を暗色に形成したことを特徴とする送風装置。
【請求項２】
前記カバー部材が前記筐体に着脱可能に形成されるとともに、基材シートの一面に粘着剤を配した捕虫シートを備え、
前記捕虫シートを前記フィルタに対向して前記カバー部材の内面に配置したことを特徴とする請求項１に記載の送風装置。
【請求項３】
前記捕虫空間に虫を誘引する光を出射する誘引光源を備え、前記捕虫シートが前記捕虫空間の上部と下部との間に延びて配され、前記流入口を前記捕虫空間の下部に面して配置するとともに、前記誘引光源を前記捕虫空間の上部に面して配置したことを特徴とする請求項２に記載の送風装置。
【請求項４】
前記送風機のモータの回転軸に取り付けられる羽根車が前記流入口に面して配され、前記捕虫シートが前記モータの軸方向に投影して前記モータの全体を覆うことを特徴とする請求項２または請求項３に記載の送風装置。
【請求項５】
前記吸込口の開口面積をＡｍ２、前記送風機の風量をＱｍ３／ｓとした時に、Ｑ／Ａ＞０．７を満たすことを特徴とする請求項１〜請求項４のいずれかに記載の送風装置。
【請求項６】
空気の流入口及び吹出口を開口する筐体と、前記筐体内に配される送風機と、前記流入口に配されて空気中の塵埃を捕集するフィルタと、空気の吸込口を開口して前記筐体に取り付けられるとともに前記吸込口と前記流入口との間に捕虫空間を形成するカバー部材とを備え、前記送風機を駆動させて前記吸込口を介して前記捕虫空間に進入した虫を捕虫する補虫方法において、
前記カバー部材の外面を暗色に形成したことを特徴とする捕虫方法。
【発明の詳細な説明】
【技術分野】
【０００１】
本発明は筐体とカバー部材との間の捕虫空間に進入した虫を捕虫する送風装置及び捕虫方法に関する。
【背景技術】
【０００２】
特許文献１には従来の送風装置が開示されている。この送風装置は空気の流入口及び吹出口をそれぞれ背面及び上面に開口した筐体を有する。筐体は室内の床面等に設置され、送風機を内装する。流入口には空気中の塵埃を捕集するフィルタが配される。筐体の背面側には流入口を覆うカバー部材が筐体に対して着脱可能に取り付けられる。カバー部材は空気の吸込口を複数開口している。【０００３】
上記構成の送風装置において、運転が開始されると、送風機が駆動されて吸込口から空気が吸い込まれる。吸込口から吸い込まれた空気は流入口に流入し、フィルタにより塵埃が捕集された後に吹出口から外部へ送出される。これにより、室内の空気を清浄することができる。また、筐体からカバー部材を取り外してフィルタを清掃することができる。【０００４】
上記特許文献１の送風装置によれば、空気中の塵埃を捕集するため、塵埃等による健康被害を低減することができる。また、近年の健康志向の高まりから、蚊等の虫を介した感染症等を低減するために捕虫機能を有する送風装置の要望が高くなっている。【０００５】
特許文献２に記載の捕虫装置は、前面を扉により開閉して側面に開口部を開口した筐体と、筐体内に虫を誘引する誘引光を出射する誘引光源と、扉の背面に配されて虫を捕獲する粘着性の捕虫シートとを備えている。【０００６】
上記構成の捕虫装置において、扉を閉じて誘引光源を点灯すると、側面の開口部を介して誘引光が筐体の外部に向けて出射される。虫は側面の開口部を介して筐体内に進入し、捕虫シートにより捕虫される。そして、虫が所定量付着した使用済の捕虫シートを扉から取り外し、未使用の捕虫シートを扉の所定位置に取り付ける。これにより、捕虫シートを交換することができる。
【先行技術文献】
【特許文献】
【０００７】
【特許文献１】特開２００９−６６４６６号公報（第８頁、第９頁、第１図、第２図）
【特許文献２】特開２００６−２３０２５８号公報（第５頁、第６頁、第１図、第２図、第４図）
【発明の概要】
【発明が解決しようとする課題】
【０００８】
しかしながら、上記特許文献２の捕虫装置によると、側面の開口部に面していない方向には誘引光が十分に届かないため、捕虫性能が低下する問題があった。一方、捕虫装置の外面に誘引光源を取り付けると、誘引光によって使用者の目に悪影響を与えるおそれがある。【０００９】
本発明は、安全に捕虫性能を向上できる送風装置を提供することを目的とする。また本発明は、安全に捕虫効果を向上できる捕虫方法を提供することを目的とする。
【課題を解決するための手段】
【００１０】
上記目的を達成するために本発明は、空気の流入口及び吹出口を開口する筐体と、前記筐体内に配される送風機と、前記流入口に配されて空気中の塵埃を捕集するフィルタと、空気の吸込口を開口して前記筐体に取り付けられるとともに前記吸込口と前記流入口との間に捕虫空間を形成するカバー部材とを備え、前記吸込口を介して前記捕虫空間に進入した虫を捕虫する送風装置において、前記カバー部材の外面を暗色に形成したことを特徴としている。【００１１】
この構成によると、送風機の駆動により吸込口から空気が吸い込まれ、フィルタにより空気中の塵埃が捕集された後に吹出口から空気が送出される。虫は外面を暗色に形成されるカバー部材に誘引され、カバー部材に設けた吸込口を介して捕虫空間に進入して捕虫される。【００１２】
また本発明は、上記構成の送風装置において、前記筐体の前記捕虫空間に面した領域を暗色にすると好ましい。【００１３】
また本発明は、上記構成の送風装置において、前記カバー部材が前記筐体の背面に配され、前記筐体の前面を明色に形成すると好ましい。【００１４】
また本発明は、上記構成の送風装置において、前記カバー部材が前記筐体に着脱可能に形成されるとともに、基材シートの一面に粘着剤を配した捕虫シートを備え、前記捕虫シートを前記フィルタに対向して前記カバー部材の内面に配置すると好ましい。【００１５】
また本発明は、上記構成の送風装置において、前記捕虫シートを暗色に形成すると好ましい。【００１６】
また本発明は、上記構成の送風装置において、前記捕虫空間に虫を誘引する光を出射する誘引光源を備え、前記捕虫シートが前記捕虫空間の上部と下部との間に延びて配され、前記流入口を前記捕虫空間の下部に面して配置するとともに、前記誘引光源を前記捕虫空間の上部に面して配置すると好ましい。【００１７】
また本発明は、上記構成の送風装置において、前記送風機のモータの回転軸に取り付けられる羽根車が前記流入口に面して配され、前記捕虫シートが前記モータの軸方向に投影して前記モータの全体を覆うと好ましい。【００１８】
また本発明は、上記構成の送風装置において、前記吸込口の開口面積をＡｍ２、前記送風機の風量をＱｍ３／ｓとした時に、Ｑ／Ａ＞０．７を満たすと好ましい。【００１９】
また本発明は、空気の流入口及び吹出口を開口する筐体と、前記筐体内に配される送風機と、前記流入口に配されて空気中の塵埃を捕集するフィルタと、空気の吸込口を開口して前記筐体に取り付けられるとともに前記吸込口と前記流入口との間に捕虫空間を形成するカバー部材とを備え、前記送風機を駆動させて前記吸込口を介して前記捕虫空間に進入した虫を捕虫する補虫方法において、前記カバー部材の外面を暗色に形成したことを特徴としている。
【発明の効果】
【００２０】
本発明の送風装置によると、吸込口を開口して筐体に取り付けられるとともに吸込口と筐体の流入口との間に捕虫空間を形成するカバー部材の外面を暗色に形成している。これにより、使用者の目に対する悪影響を低減して虫を捕虫空間に容易に誘引することができる。したがって、送風装置の捕虫性能を安全に向上させることができる。【００２１】
また本発明の捕虫方法によると、吸込口を開口して筐体に取り付けられるとともに吸込口と筐体の流入口との間に捕虫空間を形成するカバー部材の外面を暗色に形成している。これにより、使用者の目に対する悪影響を低減して虫を捕虫空間に容易に誘引することができる。したがって、捕虫効果を安全に向上できる。
【図面の簡単な説明】
【００２２】
【図１】本発明の第１実施形態の送風装置を示す斜視図
【図２】本発明の第１実施形態の送風装置を示す側面断面図
【図３】本発明の第１実施形態の送風装置を示す背面断面図
【図４】本発明の第１実施形態の送風装置のカバー部材を示す斜視図
【図５】本発明の第１実施形態の送風装置の捕虫シートを示す側面図
【図６】本発明の第１実施形態の送風装置の捕虫シートを剥離した状態を示す側面図
【図７】本発明の第１実施形態の送風装置の内部の送風機と捕虫シートとの位置関係を説明するための図
【図８】本発明の第１実施形態の送風装置の各種蚊に対する捕獲率を調べる実験を説明するための平面図
【図９】本発明の第１実施形態の送風装置のカバー部材の色によるネッタイシマカに対する捕獲率の影響を調べる実験を説明するための平面図
【図１０】本発明の第１実施形態の送風装置の捕虫シートによる捕虫数と吸込口の風速との関係を示す図
【発明を実施するための形態】
【００２３】
＜第１実施形態＞
以下に本発明の実施形態を図面を参照して説明する。図１及び図２は第１実施形態の送風装置の斜視図及び側面断面図をそれぞれ示している。なお、図１及び図２において白抜きの矢印は空気の流れを示している。送風装置１は居室内の床面等に設置されて水平断面形状が略楕円形の筐体２を有している。筐体２の背面側には着脱可能なカバー部材３が取り付けられ、カバー部材３の内面には詳細を後述する捕虫シート５１が配される。筐体２の前面、筐体２の背面及びカバー部材３の外面は黒色に形成される。
【００２４】
筐体２の上面の周縁部には透明な樹脂から成るスリーブ部１２が設けられる。筐体２の上面前部には操作部６が設けられる。操作部６は複数のボタン（不図示）を有し、使用者の操作によって送風装置１の動作設定を行う。各ボタンの操作によって送風装置１の駆動オンオフ、後述する送風機１０の風量の変更、後述するイオン発生装置１１のオンオフ等を指示することができる。
【００２５】
筐体２の背面及び上面にはそれぞれ流入口２０及び吹出口５が開口している。吹出口５の中央部には上方に向かって突出する突出板１３が設けられる。カバー部材３には複数の吸込口４が開口し、カバー部材３と筐体２の背面との間には吸込口４と流入口２０とを連通させる捕虫空間２５が形成される。
【００２６】
筐体２内には流入口２０と吹出口５とを連結する送風通路７が設けられる。送風通路７内には流入口２０から吹出口５に向かって（気流の上流から下流に向かって）順にプレフィルタ８、ＨＥＰＡフィルタ９、送風機１０及びイオン発生装置１１が設けられる。
【００２７】
送風機１０は筐体２の下部に配され、モータ１０ａとモータ１０ａの回転軸に取り付けられる羽根車１０ｂとを有する遠心ファンにより形成される。羽根車１０ｂは流入口２０に面して配される。送風機１０は軸方向に吸気して周方向に排気する。送風機１０を筐体２の下部に配置することにより筐体２の上下方向の長さを長くすることなく送風機１０から送出された気流の流路面積を徐々に広げることができる。送風機１０は操作部６の操作により「微」、「弱」、「中」及び「強」の複数の送風レベルに可変される。「微」、「弱」、「中」及び「強」の順で送風機１０の回転数は大きくなる。なお、送風機１０を軸流ファンにより形成してもよい。
【００２８】
プレフィルタ８はＡＢＳ等の合成樹脂で形成された複数段複数列の窓を有する矩形の枠８ａにポリプロピレン製のメッシュ８ｂを溶着して形成される。メッシュ８ｂの目の大きさは蚊やハエ等の虫が通過できない大きさに形成される。プレフィルタ８によって空気中の大きな塵埃を捕集することができる。
【００２９】
ＨＥＰＡフィルタ９は濾材９ａを覆うように枠材９ｂがホットメルトにより溶着されている。ＨＥＰＡフィルタ９によってＰＭ２．５等の微小粒子状物質を含む空気中の微細な塵埃を捕集することができる。
【００３０】
なお、活性炭等の吸着材を有する脱臭フィルタをプレフィルタ８とＨＥＰＡフィルタ９との間に配置してもよい。これにより、空気中の臭気成分を吸着して空気を脱臭することができる。
【００３１】
イオン発生装置１１は高圧電圧の印加によりイオンを発生する電極（不図示）を有し、電極は送風通路７内に面している。電極には交流波形またはインパルス波形から成る電圧が印加される。電極の印加電圧が正電圧の場合は主としてＨ＋（Ｈ２Ｏ）ｍから成るプラスイオンを発生し、負電圧の場合は主としてＯ２−（Ｈ２Ｏ）ｎから成るマイナスイオンを発生する。ここで、ｍ、ｎは整数である。Ｈ＋（Ｈ２Ｏ）ｍ及びＯ２−（Ｈ２Ｏ）ｎは空気中の浮遊菌や臭気成分の表面で凝集してこれらを取り囲む。
【００３２】
そして、式（１）〜（３）に示すように、衝突により活性種である［・ＯＨ］（水酸基ラジカル）やＨ２Ｏ２（過酸化水素）を微生物等の表面上で凝集生成して浮遊菌等を破壊する。ここで、ｍ’、ｎ’は整数である。したがって、プラスイオン及びマイナスイオンを発生して吹出口５から送出することにより居室内の除菌及び臭い除去を行うことができる。
【００３３】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ  ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→  2・ＯＨ＋Ｏ２＋(ｍ＋ｍ'＋ｎ＋ｎ')Ｈ２Ｏ  ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→  Ｈ２Ｏ２＋Ｏ２＋(ｍ＋ｍ'＋ｎ＋ｎ')Ｈ２Ｏ  ・・・（３）
【００３４】
図３は送風装置１の筐体２の上部の背面断面図を示している。筐体２の背面上部には流入口２０に対して外側（カバー部材３側）に突出した突出部２８が設けられる。突出部２８は左右方向に延びて形成され、突出部２８の下面の左右方向の中央部には凹部２８ａが凹設される。
【００３５】
凹部２８ａ内の左右端部にはそれぞれ出射面（不図示）が斜め下方を向くように誘引光源２１が配される。これにより、誘引光源２１は捕虫空間２５の上部に面してカバー部材３の吸込口４の上方に配置される。誘引光源２１は、蚊等の虫を誘引する約３６５ｎｍの紫外線を出射する紫外線発光ダイオード（不図示）を有する。
【００３６】
凹部２８ａの左右方向の中央部には両面に反射面６１ａが形成された板状の反射部６１が垂設される。反射面６１ａはシボ加工され、誘引光源２１の出射面から出射された光Ｐ１は反射面６１ａで拡散反射する。反射面６１ａで拡散反射した光Ｐ２は吸込口４に向かう。これにより、使用者が誘引光源２１を直視することを防止することができる。なお、誘引光源２１及び反射部６１を筐体２に替えてカバー部材３の内面に設けてもよく、筐体２及びカバー部材３に設けてもよい。
【００３７】
図４はカバー部材３を内側（筐体２側）から見た斜視図を示している。カバー部材３は筐体２に設けられた係合孔（不図示）に係合する係合片（不図示）を有する。これにより、カバー部材３は筐体２に対して着脱可能に取り付けられる。カバー部材３は後方に凸になるように湾曲し、左右の両端部にはそれぞれ複数（本実施形態では５個）の吸込口４が上下に並設される。なお、吸込口４は１個でもよい。
【００３８】
図５は捕虫シート５１の側面図を示している。基材シート５２の一面に粘着剤５３を配した複数の捕虫シート５１がシリコン等の剥離剤（不図示）を介して積層され、取付板５５上に貼着されている。捕虫シート５１及び取付板５５は黒色に形成される。基材シート５２は例えば紙や樹脂フィルム等により形成される。粘着剤５３に特に限定はないが、例えばアクリル系の粘着剤等を用いることができる。
【００３９】
図６は捕虫シート５１を剥離した状態の捕虫シート５１の側面図を示している。捕虫シート５１は剥離剤を介して積層されるため、粘着剤５３に虫が付着した使用済の捕虫シート５１が剥離される。これにより、未使用の捕虫シート５１が露出する。
【００４０】
なお、捕虫シート５１の粘着剤５３は水溶性であってもよい。水溶性の粘着剤の材質としては例えばデキストリン、ポリビニルアルコール、ポリビニルピロリドン、デンプンやアラビアゴム等を挙げることができる。これにより、カバー部材３を筐体２から取り外し、虫や塵埃等が付着した粘着剤５３の表面を水等で洗い流すことができる。したがって、捕虫シート５１の交換頻度を少なくすることができる。
【００４１】
図４に示すように、取付板５５の四隅には係合孔５５ａが設けられる。カバー部材３の内面の上部には筐体２に向かって突出する左右一対の鉤状の係合片（不図示）が設けられる。カバー部材３の内面の下部には取付板５５を挿入する溝（不図示）を有した正面視Ｌ字状の左右一対の支持部５５ｂが設けられる。
【００４２】
取付板５５の係合孔５５ａをカバー部材３の係合片に係合させ、取付板５５の下端部の左右端部を支持部５５ｂに載置することにより、捕虫シート５１はカバー部材３の内面に捕虫空間２５の上部と下部との間に延びて着脱可能に配される。この時、捕虫シート５１はプレフィルタ８に対向する。また、係合孔５５ａが上下に設けられるため、捕虫シート５１の上下方向を入れ替えて取り付けることができる。これにより、捕虫シート５１の全体を有効に利用することができる。したがって、捕虫シート５１の交換頻度を少なくして利便性を向上させることができる。
【００４３】
図７は送風機１０と捕虫シート５１との位置関係を説明するための背面図を示している。捕虫シート５１は筐体２の下部に対向してカバー部材３の内面に配置されるとともに送風機１０のモータ１０ａの軸方向（紙面に直交する方向）に投影してモータ１０ａの全体を覆っている。なお、捕虫シート５１はモータ１０ａの軸方向に投影してモータ１０ａ及び流入口２０（羽根車１０ｂ）の全体を覆ってもよい。
【００４４】
また、図４に示すように、カバー部材３の内面には虫を誘引する臭気物質を発生するニオイ発生部７０が設けられる。臭気物質に特に限定はないが、例えば乳酸を挙げることができる。乳酸により蚊等の虫を捕虫空間２５に容易に誘引することができる。なお、ニオイ発生部７０の設置場所は捕虫空間２５内であれば、カバー部材３の内面に限定されず筐体２の背面に設けてもよい。
【００４５】
なお、捕虫シート５１の基材シート５２に臭気物質を含有してニオイ発生部を形成してもよい。また、基材シート５２上に粘着剤５３と臭気物質とを千鳥模様や縞模様になるように隣接して塗布し、ニオイ発生部を形成してもよい。また、捕虫シート５１の粘着剤５３に臭気物質を含有してニオイ発生部を形成してもよい。すなわち、捕虫シート５１に臭気物質を設けてニオイ発生部を形成してもよい。また、取付板５５に臭気物質を塗布してニオイ発生部を形成してもよい。
【００４６】
上記構成の送風装置１において、操作部６の操作により送風装置１の運転が指示されると、送風機１０が駆動されるとともに誘引光源２１が点灯される。送風機１０の駆動により、吸込口４を介して居室内の空気が捕虫空間２５内に流入する。誘引光源２１の出射光は反射面６１ａにより吸込口４に向けて拡散反射する。これにより、吸込口４を介して虫を捕虫空間２５に誘引することができる。また、使用者が誘引光源２１を直視することを防止して、誘引光源２１の紫外線による使用者の健康に対する影響を低減することができる。
【００４７】
蚊等の虫は黒色を好むことが知られている。本実施形態では、カバー部材３の外面を黒色に形成しているため、室内において誘引光源２１の出射光が届きにくい領域の虫をカバー部材３の近傍に容易に誘引することができる。また、筐体２の背面（捕虫空間２５に面した領域）を黒色に形成しているため、カバー部材３の近傍に誘引された虫を吸込口４を介して容易に捕虫空間２５に誘引することができる。また、捕虫シート５１を黒色に形成しているため、捕虫空間２５に進入した虫は捕虫シート５１に容易に誘引されて捕獲される。
【００４８】
この時、捕虫シート５１をプレフィルタ８に対向してカバー部材３の内面に配置している。これにより、吸込口４から進入した虫が吸込気流により流入口２０に向かって運ばれる際に、流入口２０に対向した捕虫シート５１に捕虫される。これにより、虫によるプレフィルタ８の目詰まりを低減することができる。また、吸込気流中の塵埃の捕虫シート５１への付着を低減することができる。
【００４９】
また、捕虫シート５１が捕虫空間２５の上部と下部との間に延びて配され、流入口２０を捕虫空間２５の下部に面して配置するとともに、誘引光源２１を捕虫空間２５の上部に面して配置している。これにより、誘引光源２１に誘引される虫が上部の吸込口４から捕虫空間２５内に進入しやすくなる。吸込気流により捕虫空間２５の下部に面した流入口２０に向かって運ばれる虫は捕虫シート５１の下部に捕虫されやすい。このため、誘引光源２１により捕虫シート５１の上部の捕虫量を増加させ、捕虫シート５１の全体で均一に捕虫することができる。したがって、捕虫シート５１の交換頻度を少なくして利便性を向上することができる。
【００５０】
また、捕虫シート５１がモータ１０ａの軸方向に投影してモータ１０ａの全体を覆っている。これにより、送風機１０により流入口２０に吸い込まれる気流を広い範囲で捕虫シート５１に沿って流通させることができる。したがって、吸込気流に運ばれる虫が捕虫シート５１に接触しやすくなり、捕虫シート５１の捕虫量を増加させることができる。
【００５１】
捕虫空間２５に流入した空気は筐体２の流入口２０から送風通路７に流入する。この時、プレフィルタ８により空気中の大きな塵埃が捕集される。また、ＨＥＰＡフィルタ９によりＰＭ２．５等を含む空気中の微細な塵埃が捕集される。送風機１０の排気側の送風通路７内を流通する空気にはイオン発生装置１１で発生したイオンが含まれる。塵埃が捕集されてイオンを含む空気は吹出口５から送出される。これにより、居室内の空気を清浄することができる。
【００５２】
送風装置１の使用により、捕虫シート５１の露出している粘着剤５３には虫が付着する。この時、使用者がカバー部材３を筐体２から取り外し、虫が付着した使用済の捕虫シート５１を剥がすと未使用の捕虫シート５１が露出する。したがって、捕虫シート５１の交換の手間を省き、送風装置１の利便性を向上させることができる。
【００５３】
表１〜表３はアカイエカ（Culex  pipiens  pallens）、チカイエカ（Culex  pipiens  molestus）及びヒトスジシマカ（Aedes  albopictus）に対する送風装置１の捕獲率の結果をそれぞれ示している。図８は送風装置１の捕獲率を調べる実験を説明するための試験室Ｒ１の平面図を示している。
【００５４】
幅方向の長さ、奥行方向の長さ及び高さ方向の長さがそれぞれ３．５ｍ、２．９ｍ及び２．２ｍの試験室Ｒ１（六畳間に相当）内に左側壁ＷＬから０．３ｍ離れた位置に送風装置１を配置した。送風装置１の筐体２の前面、筐体２の背面及びカバー部材３の外面を黒色に形成した。供試虫の潜み場所として、黒色の段ボール箱から成るレストボックス１００を用いた。レストボックス１００には１個当たりの開口面積が送風装置１の吸込口４と略同じの開口部（不図示）を吸込口４と同じ数だけ設けた。レストボックス１００を右側壁ＷＲから０．３ｍ離れた位置に配置した。なお、レストボックス１００には捕虫シート５１を設けていない。
【００５５】
試験室Ｒ１内の対角位置のコーナー部ＣＲ１、ＣＲ２の近傍にはコップ７５をそれぞれ配置した。コップ７５内には蚊の餌（砂糖：３％の砂糖水）を染み込ませた脱脂綿を入れた。また、試験室Ｒ１内の中央部には供試虫を入れたケージ８０を配置した。供試虫として、アカイエカ、チカイエカ及びヒトスジシマカの雌成虫を用いた。
【００５６】
ケージ８０を開放して試験室Ｒ１内に供試虫を放すことにより実験を開始した。この時、送風装置１の誘引光源２１を点灯するとともに「中」の送風レベルで送風機１０を駆動させた。供試虫の放出後２２時間（実験時間）経過後に送風装置１の送風機１０及び誘引光源２１を停止させ、送風装置１の捕虫シート５１に捕獲された虫数、送風装置１内の捕虫シート５１以外で捕獲された虫数、送風装置１の外部の試験室Ｒ１内の虫数及び致死の虫数をカウントした。なお、各供試虫に対して実験を３回実施した。
【００５７】
実験時間のうち１４時間は試験室Ｒ１内を明るくし、８時間は試験室Ｒ１内を暗くした。また、試験室Ｒ１内の床面の温度を２５℃以上に維持した。
【００５８】
捕獲率Ｔ（％）は、捕獲された虫数（送風装置１に入っていた虫数）をＮｃ（匹）、試験室Ｒ１内全体から回収した虫数をＮｒ（匹）として式（１）により算出した。なお、虫数Ｎｃ、Ｎｒは致死の虫数も含む。また、３回の実験の各結果の虫数の合計に基づいて、捕獲率Ｔを算出した。なお、試験室Ｒ１内に放出した供試虫の数を供試虫数としている。
【００５９】
Ｔ＝１００×Ｎｃ／Ｎｒ・・・（１）
【００６０】
【表１】
2016203840.tif 000003
【００６１】
【表２】
2016203840.tif 000004
【００６２】
【表３】
2016203840.tif 000005
【００６３】
表１のアカイエカに対する実験では、供試虫数６２５匹に対して回収虫数が６１８匹であり、回収率（１００×回収虫数／供試虫数）は９８．９％であった。送風装置１全体の虫数（捕獲数）は５８８匹であり、その内訳は捕虫シート５１上に５５９匹、捕虫シート５１以外の部分に２９匹（致死の２５匹を含む）であった。レストボックス１００内の虫数を含めた送風装置１外の虫数は３０匹（致死の２３匹を含む）であった。送風装置１全体の捕獲率は９５．１％であり、捕虫シート５１の捕獲率は９０．５％であった。以上の結果から、送風装置１はアカイエカに対して非常に高い捕虫性能を有する。
【００６４】
表２のチカイエカに対する実験では、供試虫数６２７匹に対して回収虫数が６２５匹であり、回収率は９９．７％であった。送風装置１全体の虫数（捕獲数）は６１５匹であり、その内訳は捕虫シート５１上に５１９匹、捕虫シート５１以外の部分に９６匹（致死の５４匹を含む）であった。レストボックス１００内の虫数を含めた送風装置１外の虫数は１０匹（致死の２匹を含む）であった。送風装置１全体の捕獲率は９８．４％であり、捕虫シート５１の捕獲率は８３．０％であった。以上の結果から、送風装置１はチカイエカに対して非常に高い捕虫性能を有する。
【００６５】
表３のヒトスジシマカに対する実験では、供試虫数６４０匹に対して回収虫数が６２４匹であり、回収率は９７．５％であった。送風装置１全体の虫数（捕獲数）は５５３匹であり、その内訳は捕虫シート５１上に５３４匹、捕虫シート５１以外の部分に１９匹（致死の１２匹を含む）であった。レストボックス１００内の虫数を含めた送風装置１外の虫数は７１匹（致死の２１匹を含む）であった。送風装置１全体の捕獲率は８８．６％であり、捕虫シート５１の捕獲率は８５．６％であった。以上の結果から、送風装置１はヒトスジシマカに対して非常に高い捕虫性能を有する。なお、送風装置１外の７１匹のうち３４匹は実験終了後に観察者に向かって飛来してきたため、本試験で使用したヒトスジシマカは吸血意欲が高いことが示唆された。
【００６６】
表４は筐体２の前面の色とカバー部材３の外面の色による捕虫効果を比較実験した結果を示している。試験機Ａでは本実施形態の送風装置１と同様に筐体２の前面及びカバー部材３の外面を黒色に形成した。試験機Ｂでは筐体２の前面を黒色に形成するとともにカバー部材３の外面を白色に形成した。試験機Ｃでは筐体２の前面を白色に形成するとともにカバー部材３の外面を黒色に形成した。試験機Ｄでは筐体２の前面及びカバー部材３の外面を白色に形成した。なお、試験機Ａ〜Ｄのその他の構成は送風装置１と同様である。
【００６７】
実験方法は試験機Ａ〜Ｄから１ｍ離れた位置で供試虫（アカイエカ）を放出し、送風機１０及び誘引光源２１の駆動を停止した状態で２時間放置して行った。結果は観察者が捕虫シート５１に付着した虫が多く捕虫効果が高いと判断した場合を「○」で示し、捕虫シート５１に付着した虫が少なく捕虫効果が低いと判断した場合を「×」で示している。また、観察者が「○」と「×」との間と判断した場合を「△」で示している。
【００６８】
【表４】
2016203840.tif 000006
【００６９】
表４によると、試験機Ｄでは捕虫効果が低かった。これに対して、試験機Ａでは捕虫効果が高かった。また、試験機Ｃでも捕虫効果が高かった。試験機Ｂでは試験機Ｄよりは捕虫効果が高かったが、試験機Ａ及び試験機Ｃよりは捕虫効果が低かった。この結果からカバー部材３の外面を黒色に形成することにより送風装置１の捕虫効果を向上させることができることが判明した。
【００７０】
表５は送風装置１の筐体２及びカバー部材３の外面の色によるネッタイシマカ（Aedes  aegypti）に対する捕虫効果を比較実験した結果を示している。ネッタイシマカは黄熱、デング熱などのウイルス性の感染症を媒介する蚊として知られている。本実験では本実施形態の送風装置１と同様に筐体２の前面、筐体２の背面及びカバー部材３の外面を黒色に形成した試験機Ｅを用いた。また、筐体２の前面及び背面が白色に形成された試験機Ｆを用いた。また、試験機Ｆではカバー部材３の吸込口４の近傍の外面のみを黒色に形成し、吸込口４の近傍部分以外のカバー部材３の外面を白色に形成した。なお、試験機Ｆのその他の構成は試験機Ｅと同様である。
【００７１】
図９は本実験を実施した試験室Ｒ２内のレイアウトを示した図である。幅方向の長さ、奥行方向の長さ及び高さ方向の長さがそれぞれ３．３ｍ、２．６ｍ及び３．０ｍの試験室Ｒ２内の幅方向の中央部に衝立９０を配置した。衝立９０の左側及び右側にそれぞれ試験機Ｅ、Ｆを配置した。試験機Ｅ、Ｆをそれぞれ左側壁ＷＬ、右側壁ＷＲから０．５５ｍ離すとともに背側壁ＷＢから０．３ｍ離した。また、試験機Ｅと試験機Ｆとの間の距離を１．４９ｍに設定した。
【００７２】
試験機Ｅ、Ｆのプレフィルタ８には粘着スプレーを用いて粘着剤を適当量塗布した。また、捕虫空間２５内の底面にも捕虫シート５１を配した。
【００７３】
試験室Ｒ２内の左側壁ＷＬ及び右側壁ＷＲの近傍にはそれぞれコップ７５を前側壁ＷＦから１．１ｍ離して配置した。コップ７５内には蚊の餌（砂糖、ビタミンＢ１：ビタミンＢ１を１％含有する１０％の砂糖水）を染み込ませた脱脂綿を入れた。また、試験室Ｒ２内の中央部には供試虫を入れたケージ８０を配置した。供試虫として、ネッタイシマカの雌成虫を用いた。
【００７４】
ケージ８０を開放して試験室Ｒ２内に供試虫を放して実験を開始した。供試虫の放出後２４時間（実験時間）経過後に、試験機Ｅ、Ｆのプレフィルタ８に捕獲された虫数、カバー部材３上の捕虫シート５１に捕獲された虫数、捕虫空間２５内の底部に捕獲された虫数及び試験機Ｅ、Ｆ以外の試験室Ｒ２内の虫数及び致死の虫数をカウントした。捕獲率（％）は表１〜表３の場合と同様に算出した。
【００７５】
なお、実験時間中には試験機Ｅ、Ｆの誘引光源２１を点灯するとともに「中」の送風レベルで送風機１０を駆動させた。また、試験室Ｒ２内の床面の温度を２６℃以上に維持した。実験時間経過後に送風機１０及び誘引光源２１を停止させた。
【００７６】
【表５】
2016203840.tif 000007
【００７７】
供試虫数２４６匹に対して回収虫数が２４６匹であり、回収率は１００％であった。プレフィルタ８、カバー部材３上の捕虫シート５１及び捕虫空間２５内の底部の虫数（捕獲数）は、試験機Ｅではそれぞれ１１９匹、３２匹、２７匹であったのに対し、試験機Ｆではそれぞれ３８匹、１２匹、１３匹であった。試験機Ｅ全体で捕獲された虫数（捕獲数）は１７８匹であり、捕獲率は７２．４％であった。これに対し、試験機Ｆ全体で捕獲された虫数は６３匹であり、捕獲率は２５．６％であった。なお、試験機Ｅ、Ｆ以外の試験室Ｒ２内の虫数は５匹であり、致死の虫数は０匹であった。
【００７８】
以上の結果から、送風装置１の筐体２の前面、筐体２の背面及びカバー部材３の外面を黒色に形成することにより、送風装置１はネッタイシマカに対しても高い捕虫性能を有する。
【００７９】
なお、ネッタイシマカに対する本実験では、表１〜表３の実験結果とは異なり、試験機Ｅ、Ｆのカバー部材３の捕虫シート５１上の虫数（捕獲数）がこの捕虫シート５１上以外の装置内の虫数よりも少なくなっている。これは、本実験ではプレフィルタ８に粘着スプレーを塗布しているとともに捕虫空間２５内の底部に捕虫シート５１を配したため、プレフィルタ８及び捕虫空間２５内の底部で捕獲された虫数が増えたことによるものと推察される。
【００８０】
次に、図１０は吸込口４の風速と捕虫シート５１による捕虫数（捕獲数）との関係を調べた結果を示す図である。縦軸は捕虫数（単位：匹）を示し、横軸は吸込口４の平均風速（単位：ｍ／ｓ）を示している。実験は送風装置１から１ｍ離れた位置で供試虫（アカイエカ）を放出し、送風機１０の回転数を可変して送風装置１を１６時間駆動させて行った。なお、各実験につき１００匹の供試虫を使用した。その後に、捕虫シート５１で捕虫された虫の数（捕虫数）をカウントした。吸込口４の平均風速Ｖ（ｍ／ｓ）は、吸込口４の開口面積をＡ（ｍ２）、送風機１０の風量をＱ（ｍ３／ｓ）として式（２）により算出した。ここで、吸込口４の開口面積Ａは本実施形態で形成した大きさである０．０２９７ｍ２（０．００２９７ｍ２×１０箇所）の一定とし、風量Ｑにより平均風速Ｖを可変した。
【００８１】
Ｖ＝Ｑ／Ａ    ・・・（２）
【００８２】
図１０によると、吸込口４の平均風速Ｖが０．７ｍ／ｓよりも低いと捕虫数が３１匹以下であった。また、吸込口４の平均風速Ｖが０．７ｍ／ｓを超えると（Ｑ／Ａ＞０．７）、捕虫空間２５から脱出する虫が減少して捕虫数が５７匹以上に増加した。これにより、Ｑ／Ａ＞０．７を満たすことにより、捕虫性能を向上させることできる。
【００８３】
本実施形態によると、吸込口４と流入口２０との間に捕虫空間２５を形成するカバー部材３の外面を黒色に形成している。これにより、虫をカバー部材３の近傍に容易に誘引することができ、虫が捕虫空間２５に容易に進入する。したがって、送風装置の捕虫性能を安全に向上させることができる。
【００８４】
また、筐体２の捕虫空間２５に面した領域を黒色に形成しているため、カバー部材３の吸込口４の近傍の虫は吸込口４を介して容易に捕虫空間２５に誘引される。
【００８５】
また、捕虫シート５１をプレフィルタ８に対向してカバー部材３の内面に配置している。これにより、吸込口４から進入した虫が吸込気流により流入口２０に向かって運ばれる際に、流入口２０に対向した捕虫シート５１に捕虫される。これにより、虫によるプレフィルタ８の目詰まりを低減することができる。
【００８６】
また、捕虫シート５１を黒色に形成しているため、捕虫空間２５内の虫を捕虫シート５１に容易に誘引することができる。したがって、送風装置１の捕虫性能を一層向上させることができる。
【００８７】
また、捕虫シート５１が捕虫空間２５の上部と下部との間に延びて配され、流入口２０を捕虫空間２５の下部に面して配置するとともに、誘引光源２１を捕虫空間２５の上部に面して配置している。これにより、誘引光源２１に誘引される虫が上部の吸込口４から捕虫空間２５内に進入しやすくなる。吸込気流により捕虫空間２５の下部に面した流入口２０に向かって運ばれる虫は捕虫シート５１の下部に捕虫されやすい。このため、誘引光源２１により捕虫シート５１の上部の捕虫量を増加させ、捕虫シート５１の全体で均一に捕虫することができる。したがって、捕虫シート５１の交換頻度を少なくして利便性を向上することができる。
【００８８】
また、捕虫シート５１がモータ１０ａの軸方向に投影してモータ１０ａの全体を覆う。これにより、送風機１０により流入口２０に吸い込まれる気流を広い範囲で捕虫シート５１に沿って流通させることができる。したがって、吸込気流に運ばれる虫が捕虫シート５１に接触しやすくなり、捕虫シート５１の捕虫量を増加させることができる。
【００８９】
また、Ｑ／Ａ＞０．７を満たすと、捕虫空間２５から脱出する虫が減少して捕虫シート５１で捕虫される虫の数を多くすることができる。したがって、送風装置１の捕虫性能を一層向上させることができる。この時、Ｑ／Ａが０．７の近傍の値をとるようにすると、捕虫性能を向上させながら送風装置１の騒音の増大を抑制することができる。
【００９０】
なお、本実施形態において、筐体２の前面、筐体２の背面、カバー部材３の外面、捕虫シート５１及び取付板５５を黒色に形成しているが暗色であればよく、例えば濃紺や濃い茶色に形成してもよい。この場合でも、虫を捕虫空間２５や捕虫シート５１に容易に誘引することができる。
【００９１】
また、カバー部材３の外面を暗色に形成し、筐体２の前面やその他の部分をカバー部材３の外面と異なる色に形成してもよい。例えば、前述の表４の試験機Ｃに示すように、筐体２の前面を白色等の明色に形成してもよい。また、筐体２の前面をカバー部材３の外面の色（例えば黒色）よりも明度の高い暗色（例えば紺色）に形成してもよい。この場合、カバー部材３の外面及び筐体２の前面に虫を誘引することができ、筐体２の前面に誘引された虫はより明度の低いカバー部材３の外面に誘引される。したがって、送風装置１の捕虫性能をより向上させることができる。
【００９２】
また、本実施形態において、カバー部材３が筐体２の背面に配されているが、流入口２０を筐体２の前面に配置してカバー部材３を筐体２の前面に配してもよい。
【００９３】
また、本実施形態では取付板５５上に複数の捕虫シート５１を積層しているが、これに替えて、１枚の捕虫シート５１を配した取付板５５をカバー部材３に取り付けてもよい。この場合、虫が付着した使用済の捕虫シート５１を取付板５５ごと交換する。
【００９４】
また、本実施形態において、捕虫シート５１を省いてもよい。送風機１０を駆動させた状態では、捕虫空間２５に進入した虫は送風機１０の吸引力により捕虫空間２５から脱出しにくい。このため、捕虫シート５１を省いても送風装置１は捕虫空間２５で捕虫することができる。
【００９５】
＜第２実施形態＞
次に、本発明の第２実施形態について説明する。本実施形態では、捕虫シート５１に替えて、殺虫シートを備えている点で第１実施形態とは異なっている。その他の部分は第１実施形態と同様である。
【００９６】
取付板５５には捕虫シート５１に替えて殺虫シート（不図示）が取り付けられている。殺虫シートは例えば基材シート（不図示）に揮発性の殺虫剤が塗布されて形成される。これにより、捕虫空間２５（図２参照）の空気中に殺虫成分を拡散させて虫を殺虫し、捕虫空間２５内に捕虫してためることができる。なお、この時、捕虫空間２５の下部に着脱可能のトレイ等を設けると、捕虫空間２５で殺虫されて落下した虫を集めて容易に廃棄することができるため、好ましい。
【００９７】
＜第３実施形態＞
次に、本発明の第３実施形態について説明する。本実施形態では、捕虫シート５１に替えて、噴霧部を備えている点で第１実施形態とは異なっている。その他の部分は第１実施形態と同様である。
【００９８】
カバー部材３の内側の上部には噴霧部（不図示）が設けられる。噴霧部は殺虫剤が充填されたタンク（不図示）を有し、捕虫空間２５（図２参照）内に殺虫剤を噴霧する。これにより、捕虫空間２５内の虫を殺虫し、捕虫空間２５内に捕虫してためることができる。噴霧部は例えば送風装置１の運転開始後の所定時間経過後に殺虫剤を噴霧してもよく、操作部６の操作により殺虫剤を噴霧してもよい。なお、噴霧部６０は捕虫空間２５内に殺虫剤を噴霧できればよいので、噴霧部６０をカバー部材３に替えて筐体２に設けてもよい。
【００９９】
＜第４実施形態＞
次に、本発明の第４実施形態について説明する。本実施形態では、捕虫シート５１に替えて、電撃殺虫部を備えている点で第１実施形態とは異なっている。その他の部分は第１実施形態と同様である。
【０１００】
カバー部材３の内面には電撃殺虫部（不図示）が設けられる。電撃殺虫部は高電圧を発生して、接触した虫にショックを与えて殺虫する。これにより、捕虫空間２５に進入した虫を殺虫剤等の薬剤を使用せずに捕虫空間２５内に捕虫してためることができる。なお、電撃殺虫部をカバー部材３に替えて筐体２に設けてもよい。
【０１０１】
なお、第１実施形態〜第４実施形態において、送風装置１から誘引光源２１を省いてもよい。また、第１実施形態〜第４実施形態において、ＨＥＰＡフィルタ９及びイオン発生装置１１を備えた送風装置１を例に説明したが、ＨＥＰＡフィルタ９及びイオン発生装置１１を省いて吹出口５から空気を吹き出して室内の空気を循環させるサーキュレータで虫を捕虫してもよい。
【産業上の利用可能性】
【０１０２】
本発明は筐体とカバー部材との間の捕虫空間に進入した虫を捕虫する送風装置に利用することができる。
【符号の説明】
【０１０３】
１    送風装置
２    筐体
３    カバー部材
４    吸込口
５    吹出口
６    操作部
７    送風通路
８    プレフィルタ
９    ＨＥＰＡフィルタ
１０    送風機
１１    イオン発生装置
２０    流入口
２１    誘引光源
５１    捕虫シート
５２    基材シート
５３    粘着剤
５５    取付板
６１    反射部
６１ａ  反射面
【図１】
2016203840.tif 000008
【図２】
2016203840.tif 000009
【図３】
2016203840.tif 000010
【図４】
2016203840.tif 000011
【図５】
2016203840.tif 000012
【図６】
2016203840.tif 000013
【図７】
2016203840.tif 000014
【図８】
2016203840.tif 000015
【図９】
2016203840.tif 000016
【図１０】
2016203840.tif 000017
【国際調査報告】
2016203840.tif 000018
2016203840.tif 000019
2016203840.tif 000020
2016203840.tif 000021